(57)【要約】【課題】耐湿性に優れ、かつＥＳＬが低いコンデンサを提供する。【解決手段】第１の負極引き出し部１１ｃの寸法をＬ１とする。第２の負極引き出し部１１ｄの寸法をＬ２とする。正極引き出し部１２ｂの寸法をＬ３とする。第１の負極端子電極１３の第１の負極引き出し部１１ｃよりも正極端子電極１５側に位置する部分の寸法をＬ４とする。第２の負極端子電極１４の第２の負極引き出し部１１ｄよりも正極端子電極１５側に位置する部分の寸法をＬ５とする。正極端子電極１５の正極引き出し部１２ｂよりも第１の負極端子電極１３側に位置する部分の寸法をＬ６とする。正極端子電極１５の正極引き出し部１２ｂよりも第２の負極端子電極１４側に位置する部分の寸法をＬ７とする。Ｌ３＞Ｌ１、Ｌ３＞Ｌ２、Ｌ６＞Ｌ４、Ｌ７＞Ｌ５が満たされる。【選択図】図５
2015019084.tif 000002
【特許請求の範囲】
【請求項１】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有するコンデンサ本体と、
前記コンデンサ本体内において、長さ方向及び厚み方向に沿って設けられた負極と、
前記コンデンサ本体内において、長さ方向及び厚み方向に沿って設けられており、前記幅方向に前記負極と対向している正極と、
を備え、
前記負極は、
前記正極と対向している負極有効部と、
前記負極有効部に接続されており、前記第２の主面の長さ方向における一方側部分に引き出された第１の負極引き出し部と、
前記負極有効部に接続されており、前記第２の主面の長さ方向における他方側部分に引き出された第２の負極引き出し部と、
を有し、
前記正極は、
前記負極有効部と幅方向において対向している正極有効部と、
前記正極有効部に接続されており、前記第２の主面のうち、長さ方向において前記第１の負極引き出し部と前記第２の負極引き出し部との間に位置する部分に引き出された正極引き出し部と、
を有し、
前記第２の主面上に、前記第１の端面、前記第１の側面及び前記第２の側面に跨がって前記第１の負極引き出し部を覆うように設けられた第１の負極端子電極と、
前記第２の主面上に、前記第２の端面、前記第１の側面及び前記第２の側面に跨がって前記第２の負極引き出し部を覆うように設けられた第２の負極端子電極と、
前記第２の主面の前記第１の負極端子電極と前記第２の負極端子電極との間に位置する部分の上に前記第１及び第２の側面のそれぞれとに跨がって、前記正極引き出し部を覆うように設けられた正極端子電極と、
をさらに備え、
前記第１の負極引き出し部の長さ方向に沿った寸法をＬ１とし、
前記第２の負極引き出し部の長さ方向に沿った寸法をＬ２とし、
前記正極引き出し部の長さ方向に沿った寸法をＬ３とし、
長さ方向において、前記第１の負極端子電極の前記第１の負極引き出し部よりも前記正極端子電極側に位置する部分の長さ方向に沿った寸法をＬ４とし、
長さ方向において、前記第２の負極端子電極の前記第２の負極引き出し部よりも前記正極端子電極側に位置する部分の長さ方向に沿った寸法をＬ５とし、
長さ方向において、前記正極端子電極の前記正極引き出し部よりも前記第１の負極端子電極側に位置する部分の長さ方向に沿った寸法をＬ６とし、
長さ方向において、前記正極端子電極の前記正極引き出し部よりも前記第２の負極端子電極側に位置する部分の長さ方向に沿った寸法をＬ７としたときに、
Ｌ３＞Ｌ１
Ｌ３＞Ｌ２
Ｌ６＞Ｌ４
Ｌ７＞Ｌ５
が満たされる、コンデンサ。
【請求項２】
前記積層コンデンサの長さ方向の寸法が、２．０ｍｍ〜２．１ｍｍであって、厚み方向の寸法が０．７ｍｍ〜１．０ｍｍであって、幅方向の寸法が１．２ｍｍ〜１．４ｍｍであって、前記第２の主面における前記第１及び第２の負極端子のそれぞれの長さ方向の寸法が０．３５ｍｍ〜０．４５ｍｍであり、前記第２の主面における前記正極端子の長さ方向の寸法が０．６３ｍｍ〜０．６７ｍｍである、請求項１〜３のいずれか一項に記載の積層コンデンサ。
【請求項３】
請求項１又は２に記載のコンデンサと、
前記コンデンサが実装されている実装基板と、
を備える、コンデンサの実装構造体。
【発明の詳細な説明】
【技術分野】
【０００１】
本発明は、コンデンサ及びコンデンサの実装構造体に関する。
【背景技術】
【０００２】
従来、例えば積層セラミックコンデンサ等の電子部品が広く使用されている。例えば、特許文献１には、直方体型の積層セラミックコンデンサが記載されている。特許文献１に記載の積層セラミックコンデンサは、第１及び第２の信号端子電極と、接地用端子電極とを有する。第１及び第２の信号端子電極は、それぞれ、第１の内部電極に接続されており、第１の信号端子電極は、一の主面の長さ方向における一方側端部の上に設けられている。第２の信号端子電極は、一の主面の長さ方向における他方側端部の上に設けられている。接地用端子電極は、第１の内部電極とセラミック部を介して対向している第２の内部電極に接続されている。接地用端子電極は、一の主面の上の部分であって、長さ方向において第１の信号端子電極と第２の信号端子電極との間に位置する部分の上に設けられている。
【先行技術文献】
【特許文献】
【０００３】
【特許文献１】特開２０１３−４６０５２号公報
【発明の概要】
【発明が解決しようとする課題】
【０００４】
コンデンサには、耐湿性に優れていることが求められている、また、コンデンサの使用態様によっては、コンデンサに、等価直列インダクタンス（ＥＳＬ）が低いことが求められている。
【０００５】
本発明の主な目的は、耐湿性に優れ、かつＥＳＬが低いコンデンサを提供することにある。
【課題を解決するための手段】
【０００６】
本発明に係るコンデンサは、コンデンサ本体と、負極と、正極とを備える。コンデンサ本体は、第１及び第２の主面と、第１及び第２の側面と、第１及び第２の端面とを有する。第１及び第２の主面は、長さ方向及び幅方向に沿って延びる。第１及び第２の側面は、長さ方向及び厚み方向に沿って延びる。第１及び第２の端面は、幅方向及び厚み方向に沿って延びる。負極は、コンデンサ本体内において、長さ方向及び厚み方向に沿って設けられている。正極は、コンデンサ本体内において、長さ方向及び厚み方向に沿って設けられている。正極は、幅方向に負極と対向している。負極は、負極有効部と、第１の負極引き出し部と、第２の負極引き出し部とを有する。負極有効部は、正極と対向している。第１の負極引き出し部は、負極有効部に接続されている。第１の負極引き出し部は、第２の主面の長さ方向における一方側部分に引き出されている。第２の負極引き出し部は、負極有効部に接続されいる。第２の負極引き出し部は、第２の主面の長さ方向における他方側部分に引き出されている。正極は、正極有効部と、正極引き出し部とを有する。正極有効部は、負極有効部と幅方向において対向している。正極引き出し部は、正極有効部に接続されている。正極引き出し部は、第２の主面のうち、長さ方向において第１の負極引き出し部と第２の負極引き出し部との間に位置する部分に引き出されている。本発明に係るコンデンサは、第１の負極端子電極と、第２の負極端子電極と、正極端子電極とをさらに備える。第１の負極端子電極は、第２の主面上に、第１の端面、第１の側面及び第２の側面に跨がって第１の負極引き出し部を覆うように設けられている。第２の負極端子電極は、第２の主面上に、第２の端面、第１の側面及び第２側面に跨がって第２の負極引き出し部を覆うように設けられている。正極端子電極は、第２の主面の第１の負極端子電極と第２の負極端子電極との間に位置する部分の上に第１及び第２の側面のそれぞれとに跨がって、正極引き出し部を覆うように設けられている。第２の主面上に、第１の負極引き出し部を覆うように設けられている。第２の主面上に、第２の負極引き出し部を覆うように設けられている。第２の主面の第１の負極端子電極と第２の負極端子電極との間に位置する部分の上に、正極引き出し部を覆うように設けられている。第１の負極引き出し部の長さ方向に沿った寸法をＬ１とする。第２の負極引き出し部の長さ方向に沿った寸法をＬ２とする。正極引き出し部の長さ方向に沿った寸法をＬ３とする。長さ方向において、第１の負極端子電極の第１の負極引き出し部よりも正極端子電極側に位置する部分の長さ方向に沿った寸法をＬ４とする。長さ方向において、第２の負極端子電極の第２の負極引き出し部よりも正極端子電極側に位置する部分の長さ方向に沿った寸法をＬ５とする。長さ方向において、正極端子電極の正極引き出し部よりも第１の負極端子電極側に位置する部分の長さ方向に沿った寸法をＬ６とする。長さ方向において、正極端子電極の正極引き出し部よりも第２の負極端子電極側に位置する部分の長さ方向に沿った寸法をＬ７とする。Ｌ３＞Ｌ１、Ｌ３＞Ｌ２、Ｌ６＞Ｌ４、Ｌ７＞Ｌ５が満たされる。
【０００７】
本発明に係るコンデンサの長さ方向の寸法が、２．０ｍｍ〜２．１ｍｍであって、厚み方向の寸法が０．７ｍｍ〜１．０ｍｍであって、幅方向の寸法が１．２ｍｍ〜１．４ｍｍであってもよい。第２の主面における第１及び第２の負極端子のそれぞれの長さ方向の寸法が０．３５ｍｍ〜０．４５ｍｍであり、第２の主面における正極端子の長さ方向の寸法が０．６３ｍｍ〜０．６７ｍｍであってもよい。
【０００８】
本発明に係るコンデンサの実装構造体は、本発明に係るコンデンサと、そのコンデンサが実装されている実装基板とを備える。
【発明の効果】
【０００９】
本発明によれば、耐湿性に優れ、かつＥＳＬが低いコンデンサを提供することができる。
【図面の簡単な説明】
【００１０】
【図１】第１の実施形態における積層コンデンサの模式的斜視図である。
【図２】第１の実施形態における積層コンデンサの第２の側面の模式的正面図である。
【図３】第１の実施形態における積層コンデンサの第２の端面の模式的正面図である。
【図４】図２の線ＩＶ−ＩＶにおける模式的断面図である。
【図５】図４の線Ｖ−Ｖにおける模式的断面図である。
【図６】図４の線ＶＩ−ＶＩにおける模式的断面図である。
【図７】第１の実施形態における電子部品の実装構造体の模式的断面図である。
【図８】第２の実施形態における積層コンデンサの模式的斜視図である。
【図９】第２の実施形態における積層コンデンサの模式的断面図である。
【図１０】第２の実施形態における積層コンデンサの模式的断面図である。
【発明を実施するための形態】
【００１１】
以下、本発明を実施した好ましい形態の一例について説明する。但し、下記の実施形態は、単なる例示である。本発明は、下記の実施形態に何ら限定されない。
【００１２】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１３】
図１は、本実施形態における積層コンデンサの模式的斜視図である。図２は、本実施形態における積層コンデンサの第２の側面の模式的正面図である。図３は、本実施形態における積層コンデンサの第２の端面の模式的正面図である。図４は、図２の線ＩＶ−ＩＶにおける模式的断面図である。図５は、図４の線Ｖ−Ｖにおける模式的断面図である。図６は、図４の線ＶＩ−ＶＩにおける模式的断面図である。
【００１４】
図１〜図６に示されるように、積層コンデンサ１は、コンデンサ本体１０を備えている。コンデンサ本体１０は、略直方体状である。コンデンサ本体１０の角部や稜線部は、面取り状に設けられていてもよいし、丸められた形状を有していてもよい。また、主面、側面には、凹凸が設けられていてもよい。
【００１５】
コンデンサ本体１０は、第１及び第２の主面１０ａ、１０ｂと、第１及び第２の側面１０ｃ、１０ｄと、第１及び第２の端面１０ｅ、１０ｆとを有する。第１及び第２の主面１０ａ、１０ｂは、それぞれ、幅方向Ｗと、長さ方向Ｌとに沿って延びている。第１及び第２の側面１０ｃ、１０ｄは、それぞれ、幅方向Ｗと、厚み方向Ｔとに沿って延びている。第１及び第２の端面１０ｅ、１０ｆは、それぞれ、長さ方向Ｌと、厚み方向Ｔとに沿って延びている。長さ方向Ｌは、幅方向Ｗに対して垂直である。厚み方向Ｔは、長さ方向Ｌと幅方向Ｗとのそれぞれに対して垂直である。
【００１６】
積層コンデンサ１の長さ寸法は２．００ｍｍ〜２．１０ｍｍであることが好ましく、厚み寸法は０．７ｍｍ〜１．０ｍｍであることが好ましく、幅寸法は１．２０ｍｍ〜１．４０ｍｍであることが好ましい。
【００１７】
なお、コンデンサ本体の長さ寸法、厚み寸法、幅寸法は、ミツトヨ製のマイクロメーターＭＤＣ−２５ＭＸを用いて測定することができる。
【００１８】
コンデンサ本体１０は、例えば、誘電体セラミックスにより形成することができる。誘電体セラミックスの具体例としては、例えば、ＢａＴｉＯ３、ＣａＴｉＯ３、ＳｒＴｉＯ３、ＣａＺｒＯ３などが挙げられる。コンデンサ本体１０には、積層コンデンサ１に要求される特性に応じて、例えばＭｎ化合物、Ｍｇ化合物、Ｓｉ化合物、Ｆｅ化合物、Ｃｒ化合物、Ｃｏ化合物、Ｎｉ化合物、希土類化合物などの副成分が適宜添加されていてもよい。
【００１９】
図４に示されるように、コンデンサ本体１０の内部には、複数の負極１１と、複数の正極１２とが設けられている。負極１１と正極１２とは、それぞれ、長さ方向Ｌ及び厚み方向Ｔに沿って延びるように設けられている。負極１１と正極１２とは、幅方向Ｗに沿って交互に間隔を置いて設けられている。幅方向Ｗにおいて隣り合う負極１１と正極１２とは、セラミック部１０ｇを介して幅方向Ｗにおいて対向している。
【００２０】
図５に示されるように、負極１１は、第１及び第２の主面１０ａ、１０ｂのそれぞれに引き出されている。具体的には、負極１１は、負極有効部１１Ａと、負極引き出し部１１ａ〜１１ｄとを有する。負極有効部１１Ａは、正極１２と幅方向Ｗにおいて対向している。負極引き出し部１１ａは、負極有効部１１Ａから第１の主面１０ａ側に延びている。第１の主面１０ａの長さ方向ＬにおけるＬ１側部分に引き出されている。負極引き出し部１１ｂは、負極有効部１１Ａから第１の主面１０ａ側に延びている。負極引き出し部１１ｂは、第１の主面１０ａの長さ方向ＬにおけるＬ２側部分に引き出されている。負極引き出し部１１ｃは、負極有効部１１Ａから第２の主面１０ｂ側に延びている。負極引き出し部１１ｃは、第２の主面１０ｂの長さ方向ＬにおけるＬ１側部分に引き出されている。負極引き出し部１１ｄは、負極有効部１１Ａから第２の主面１０ｂ側に延びている。負極引き出し部１１ｄは、第２の主面１０ｂの長さ方向ＬにおけるＬ２側部分に引き出されている。負極１１は、第１及び第２の端面１０ｅ、１０ｆから離間している。すなわち、負極１１は、第１及び第２の端面１０ｅ、１０ｆには引き出されていない。
【００２１】
なお、本実施形態では、負極引き出し部１１ｃが、「第１の負極引き出し部」を構成している。負極引き出し部１１ｄが「第２の負極引き出し部」を構成している。
【００２２】
図６に示されるように、正極１２は、第１及び第２の主面１０ａ、１０ｂのそれぞれに引き出されている。具体的には、正極１２は、正極有効部１２Ａと、正極引き出し部１２ａ，１２ｂとを有する。正極有効部１２Ａは、負極有効部１１Ａと幅方向Ｗにおいて対向している。正極引き出し部１２ａは、正極有効部１２Ａから第１の主面１０ａ側に向かって延びている。正極引き出し部１２ａは、第１の主面１０ａの長さ方向Ｌにおける中央部に引き出されている。長さ方向Ｌにおいて、正極引き出し部１２ａは、負極引き出し部１１ａと負極引き出し部１１ｂとの間に位置している。正極引き出し部１２ｂは、正極有効部１２Ａから第２の主面１０ｂ側に向かって延びている。正極引き出し部１２ｂは、第２の主面１０ｂの長さ方向Ｌにおける中央部に引き出されている。正極引き出し部１２ｂは、長さ方向Ｌにおいて、負極引き出し部１１ｃと負極引き出し部１１ｄとの間に位置している。正極引き出し部１２ａ、１２ｂと、負極引き出し部１１ａ〜１１ｄとは、幅方向Ｗにおいて互いに対向しないように設けられている。正極１２は、第１及び第２の端面１０ｅ、１０ｆから離間している。すなわち、正極１２は、第１及び第２の端面１０ｅ、１０ｆには引き出されていない。
【００２３】
負極１１及び正極１２は、それぞれ、例えば、Ｎｉ、Ｃｕ，Ａｇ，Ｐｄ，Ａｕ，Ａｇ−Ｐｄ合金などの金属等により構成することができる。
【００２４】
図１，図２、図５及び図６に示されるように、第２の主面１０ｂの上には、負極端子電極１３，１４と、正極端子電極１５とが設けられている。本実施形態では、負極端子電極１３が、「第１の負極端子電極」を構成している。負極端子電極１４が「第２の負極端子電極」を構成している。
【００２５】
図１に示されるように負極端子電極１３は、第２の主面１０ｂの長さ方向Ｌにおける第１の端面１０ｅ側（Ｌ１側）部分の上に設けられている。負極端子電極１３は、第２の主面１０ｂの幅方向Ｗにおける一方側端部から他方側端部に跨がって設けられている。負極端子電極１３は、第２の主面１０ｂの上から、第１及び第２の側面１０ｃ、１０ｄ並びに第１の端面１０ｅのそれぞれの上に跨がるように設けられている。負極端子電極１３は、第１の側面１０ｃの上に設けられた部分１３ａと、第２の側面１０ｄの上に設けられた部分１３ｂと、第１の端面１０ｅの上に設けられた部分１３ｃとを有する。負極端子電極１３は、第１の主面１０ａには至っていない。すなわち、部分１３ａ〜１３ｃは、第１の主面１０ａには至っていない。部分１３ａ〜１３ｃの厚み方向Ｔに沿った長さは、コンデンサ本体１０の厚み方向Ｔに沿った長さの１／２未満であることが好ましく、１／３以下であることがより好ましい。
【００２６】
負極端子１３の第２の主面における長さ方向の寸法は、０．３５ｍｍ〜０．４５ｍｍであることが好ましい。
【００２７】
図５に示されるように、負極端子電極１３は、負極１１に接続されている。負極端子電極１３は、負極１１の負極引き出し部１１ｃを覆っている。負極端子電極１３のうち、第２の主面１０ｂ上に位置し、負極引き出し部１１ｃを覆っている部分１３ｄは、長さ方向Ｌの外側（Ｌ１側及びＬ２側のそれぞれ）に向かって薄くなっている。
【００２８】
図１に示されるように、負極端子電極１４は、第２の主面１０ｂの長さ方向Ｌにおける第２の端面１０ｆ側（Ｌ２側）部分の上に設けられている。負極端子電極１４は、第２の主面１０ｂの幅方向Ｗにおける一方側端部から他方側端部に跨がって設けられている。負極端子電極１４は、第２の主面１０ｂの上から、第１及び第２の側面１０ｃ、１０ｄ並びに第２の端面１０ｆのそれぞれの上に跨がるように設けられている。負極端子電極１４は、第１の側面１０ｃの上に設けられた部分１４ａと、第２の側面１０ｄの上に設けられた部分１４ｂと、第２の端面１０ｆの上に設けられた部分１４ｃとを有する。負極端子電極１４は、第１の主面１０ａには至っていない。すなわち、部分１４ａ〜１４ｃは、第１の主面１０ａには至っていない。部分１４ａ〜１４ｃの厚み方向Ｔに沿った長さは、コンデンサ本体１０の厚み方向Ｔに沿った長さの１／２未満であることが好ましく、１／３以下であることがより好ましい。
【００２９】
第２の接地用端子電極１４の第２の主面における長さ方向の寸法は、０．３５ｍｍ〜０．４５ｍｍであることが好ましい。
【００３０】
図５に示されるように、負極端子電極１４は、負極１１に接続されている。負極端子電極１４は、負極１１の負極引き出し部１１ｄを覆っている。負極端子電極１４のうち、第２の主面１０ｂ上に位置し、負極引き出し部１１ｄを覆っている部分１４ｄは、長さ方向Ｌの外側（Ｌ１側及びＬ２側のそれぞれ）に向かって薄くなっている。
【００３１】
図１に示されるように、正極端子電極１５は、第２の主面１０ｂの長さ方向Ｌにおいて負極端子電極１３と負極端子電極１４との間に位置する部分の上に設けられている。正極端子電極１５は、第２の主面１０ｂの幅方向Ｗにおける一方側端部から他方側端部に跨がって設けられている。正極端子電極１５は、負極端子電極１３，１４とは離間している。正極端子電極１５は、第２の主面１０ｂの上から、第１及び第２の側面１０ｃ、１０ｄのそれぞれの上に跨がって設けられている。正極端子電極１５は、第１の側面１０ｃの上に位置する部分１５ａと、第２の側面１０ｄの上に位置する部分１５ｂとを有する。正極端子電極１５は、第１の主面１０ａには至っていない。すなわち、部分１５ａ、１５ｂの厚み方向Ｔに沿った長さは、コンデンサ本体１０の厚み方向Ｔに沿った長さの１／２未満であることが好ましく、１／３以下であることがより好ましい。
【００３２】
正極端子１５の第２の主面における長さ方向の寸法は、０．６３ｍｍ〜０．６７ｍｍであることが好ましい。
【００３３】
図６に示されるように、正極端子電極１５は、正極１２に接続されている。正極端子電極１５は、正極１２の正極引き出し部１２ｂを覆っている。
【００３４】
負極端子１３、１４と正極端子１５の第２の主面における長さ方向の寸法は、ＮＩＫＯＮ製の測定顕微鏡ＭＨ−６０にて２０倍の倍率でコンデンサ本体の第２の主面を観察して測定することができる。
【００３５】
第１の主面１０ａの上には、負極端子電極１６，１７と、正極端子電極１８とが設けられている。
【００３６】
図１に示されるように負極端子電極１６は、第１の主面１０ａの長さ方向Ｌにおける第１の端面１０ｅ側（Ｌ１側）部分の上に設けられている。負極端子電極１６は、第１の主面１０ａの幅方向Ｗにおける一方側端部から他方側端部に跨がって設けられている。負極端子電極１６は、第１の主面１０ａの上から、第１及び第２の側面１０ｃ、１０ｄ並びに第１の端面１０ｅのそれぞれの上に跨がるように設けられている。負極端子電極１６は、第１の側面１０ｃの上に設けられた部分１６ａと、第２の側面１０ｄの上に設けられた部分１６ｂと、第１の端面１０ｅの上に設けられた部分１６ｃとを有する。負極端子電極１６は、第２の主面１０ｂには至っていない。すなわち、部分１６ａ〜１６ｃは、第２の主面１０ｂには至っていない。部分１６ａ〜１６ｃの厚み方向Ｔに沿った長さは、コンデンサ本体１０の厚み方向Ｔに沿った長さの１／２未満であることが好ましく、１／３以下であることがより好ましい。
【００３７】
図５に示されるように、負極端子電極１６は、負極１１に接続されている。負極端子電極１６は、負極１１の負極引き出し部１１ａを覆っている。負極端子電極１６のうち、第１の主面１０ａ上に位置し、負極引き出し部１１ａを覆っている部分１６ｄは、長さ方向Ｌの外側（Ｌ１側及びＬ２側のそれぞれ）に向かって薄くなっている。
【００３８】
図１に示されるように負極端子電極１７は、第１の主面１０ａの長さ方向Ｌにおける第２の端面１０ｆ側（Ｌ２側）部分の上に設けられている。負極端子電極１７は、第１の主面１０ａの幅方向Ｗにおける一方側端部から他方側端部に跨がって設けられている。負極端子電極１７は、第１の主面１０ａの上から、第１及び第２の側面１０ｃ、１０ｄ並びに第２の端面１０ｆのそれぞれの上に跨がるように設けられている。負極端子電極１７は、第１の側面１０ｃの上に設けられた部分１７ａと、第２の側面１０ｄの上に設けられた部分１７ｂと、第２の端面１０ｆの上に設けられた部分１７ｃとを有する。負極端子電極１７は、第２の主面１０ｂには至っていない。すなわち、部分１７ａ〜１７ｃは、第１の主面１０ａには至っていない。部分１７ａ〜１７ｃの厚み方向Ｔに沿った長さは、コンデンサ本体１０の厚み方向Ｔに沿った長さの１／２未満であることが好ましく、１／３以下であることがより好ましい。
【００３９】
図５に示されるように、負極端子電極１７は、負極１１に接続されている。負極端子電極１７は、負極１１の負極引き出し部１１ｂを覆っている。負極端子電極１７のうち、第１の主面１０ａ上に位置し、負極引き出し部１１ｂを覆っている部分１７ｄは、長さ方向Ｌの外側（Ｌ１側及びＬ２側のそれぞれ）に向かって薄くなっている。
【００４０】
図１に示されるように正極端子電極１８は、第１の主面１０ａの長さ方向Ｌにおいて負極端子電極１６と負極端子電極１７との間に位置する部分の上に設けられている。正極端子電極１８は、第１の主面１０ａの幅方向Ｗにおける一方側端部から他方側端部に跨がって設けられている。正極端子電極１８は、負極端子電極１６，１７とは離間している。正極端子電極１８、第１の主面１０ａの上から、第１及び第２の側面１０ｃ、１０ｄのそれぞれの上に跨がって設けられている。正極端子電極１８は、第１の側面１０ｃの上に位置する部分１８ａと、第２の側面１０ｄの上に位置する部分１８ｂとを有する。正極端子電極１８は、第２の主面１０ｂには至っていない。すなわち、部分１８ａ、１８ｂの厚み方向Ｔに沿った長さは、コンデンサ本体１０の厚み方向Ｔに沿った長さの１／２未満であることが好ましく、１／３以下であることがより好ましい。
【００４１】
図６に示されるように、正極端子電極１８は、正極１２に接続されている。正極端子電極１８は、正極１２の正極引き出し部１２ａを覆っている。
【００４２】
負極端子電極１３，１４，１６，１７及び正極端子電極１５，１８のそれぞれは、例えば、Ｎｉ、Ｃｕ，Ａｇ，Ｐｄ，Ａｕ，Ｓｎ，Ｃｒ，Ａｇ−Ｐｄ合金等の適宜の金属等により構成することができる。
【００４３】
負極引き出し部１１ｃの長さ方向Ｌに沿った寸法をＬ１とする。
【００４４】
負極引き出し部１１ｄの長さ方向Ｌに沿った寸法をＬ２とする。
【００４５】
正極引き出し部１２ｂの長さ方向Ｌに沿った寸法をＬ３とする。
【００４６】
長さ方向Ｌにおいて、負極端子電極１３の負極引き出し部１１ｃよりも正極端子電極１５側に位置する部分の長さ方向Ｌに沿った寸法をＬ４とする。
【００４７】
長さ方向Ｌにおいて、負極端子電極１４の負極引き出し部１１ｄよりも正極端子電極１５側に位置する部分の長さ方向Ｌに沿った寸法をＬ５とする。
【００４８】
長さ方向Ｌにおいて、正極端子電極１５の正極引き出し部１２ｂよりも負極端子電極１３側に位置する部分の長さ方向Ｌに沿った寸法をＬ６とする。
【００４９】
長さ方向Ｌにおいて、正極端子電極１５の正極引き出し部１２ｂよりも負極端子電極１４側に位置する部分の長さ方向Ｌに沿った寸法をＬ７とする。
【００５０】
本実施形態では、下記の式（１）〜式（４）が満たされる。
【００５１】
Ｌ３＞Ｌ１    ………    （１）
Ｌ３＞Ｌ２    ………    （２）
Ｌ６＞Ｌ４    ………    （３）
Ｌ７＞Ｌ５    ………    （４）
【００５２】
なお、Ｌ１、Ｌ２、Ｌ３、Ｌ４、Ｌ５、Ｌ６、Ｌ７の寸法は、積層セラミックコンデンサ１を第１の側面または第２の側面から幅方向に研磨することによって現れる内部電極をＮＩＫＯＮ製のＭＭ−６０にて、２０倍の倍率で観察することによって確認することができる。
【００５３】
図７は、本実施形態における積層コンデンサの実装構造体の模式的断面図である。図７に示されるように、積層コンデンサの実装構造体２は、積層コンデンサ１と、実装基板２０とを備えている。積層コンデンサ１は、実装基板２０の実装面２０ａの上に実装されている。実装基板２０は、実装面２０ａに設けられた第１〜第３のランド２１〜２３を有する。
【００５４】
第１のランド２１は、負極端子電極１３と電気的に接続されている。第１のランド２１は、長さ方向Ｌにおいて、負極端子電極１３よりも外側（Ｌ１側）にまで延びている。すなわち、第１のランド２１は、平面視において（厚み方向Ｔから視たときに）、積層コンデンサ１の外側に位置する部分を有している。
【００５５】
第２のランド２２は、負極端子電極１４と電気的に接続されている。第２のランド２２は、長さ方向Ｌにおいて、負極端子電極１４よりも外側（Ｌ２側）にまで延びている。すなわち、第２のランド２２は、平面視において（厚み方向Ｔから視たときに）、積層コンデンサ１の外側に位置する部分を有している。
【００５６】
第３のランド２３は、正極端子電極１５と電気的に接続されている。
【００５７】
ランド２１〜２３と、端子電極１３〜１５とは、導電材３０により接合されると共に、電気的に接続されている。導電材３０は、導電性を有するものであれば特に限定されない。導電材３０は、例えば半田により構成することができる。
【００５８】
ところで、実装された積層コンデンサ１の等価直列インダクタンス（ＥＳＬ）を低くする観点からは、カレントループ（ｃｕｒｒｅｎｔ  ｌｏｏｐ）を短くすることが好ましい。このため、引き出し部１１ｃ、１１ｄ、１２ｂの長さ方向Ｌに沿った幅を広くすることが好ましい。しかしながら、引き出し部１１ｃ、１１ｄ、１２ｂの幅を広くすると、端子電極の先端から引き出し部までの距離が短くなるため、引き出し部に水分が侵入しやすくなる。よって、耐湿性が低下する傾向にある。
【００５９】
本発明者らは、鋭意研究の結果、正極１２側においては、端子電極１５の先端から引き出し部１２ｂまでの距離が短いと耐湿性が低下するものの、負極１１側においては、端子電極１３，１４の先端から引き出し部１１ｃ、１１ｄまでの距離が短くとも耐湿性が低下しにくいことを見出した。本発明者らは、この知見を元に、Ｌ３＞Ｌ１かつＬ３＞Ｌ２とし、正極１２の引き出し部１２ｂの長さ方向Ｌにおける寸法Ｌ３を大きくすることによりＥＳＬを低くしつつ、Ｌ６＞Ｌ４かつＬ７＞Ｌ５とし、端子電極１５の先端から引き出し部１２ｂまでの距離を長くすることにより優れた耐湿性を実現できることに想到した。
【００６０】
すなわち、積層コンデンサ１では、下記の式（１）〜式（４）が満たされているため、積層コンデンサ１の優れた耐湿性を維持しつつ、実装された積層コンデンサ１のＥＳＬを低くすることができる。
【００６１】
Ｌ３＞Ｌ１    ………    （１）
Ｌ３＞Ｌ２    ………    （２）
Ｌ６＞Ｌ４    ………    （３）
Ｌ７＞Ｌ５    ………    （４）
【００６２】
なお、正極１２側においては、端子電極１５の先端から引き出し部１２ｂまでの距離が短いと耐湿性が低下するものの、負極１１側においては、端子電極１３，１４の先端から引き出し部１１ｃ、１１ｄまでの距離が短くとも耐湿性が低下しにくい理由としては、以下の理由が考えられる。積層コンデンサの内部に水が浸入すると、下記式（５）のように、プロトン（Ｈ＋）が発生する。式（５）の反応は、正極側でのみ発生し、負極側では発生しない。正極で発生したプロトンが負極に移動することにより、積層コンデンサの絶縁抵抗（ＩＲ）が低下する。
【００６３】
Ｈ２Ｏ→Ｈ＋＋１／２Ｏ２＋２ｅ−      ………（５）
【００６４】
よって、正極においてプロトンの発生を抑制することができれば絶縁抵抗（ＩＲ）の低下を抑制できるため、積層コンデンサの耐湿性を向上することができる。従って、端子電極１３，１４の先端から引き出し部１１ｃ、１１ｄまでの距離が短く、負極１１に水分が到達しやすくても耐湿性は低下しない。一方、端子電極１５の先端から引き出し部１２ｂまでの距離が短いと正極１２に水分が到達しやすくなるため、耐湿性が低下する。
【００６５】
以下、本発明の好ましい実施形態の他の例について説明する。以下の説明において、上記第１の実施形態と実質的に共通の機能を有する部材を共通の符号で参照し、説明を省略する。
【００６６】
（第２の実施形態）
図８は、第２の実施形態における積層コンデンサの模式的斜視図である。図９は、第２の実施形態における積層コンデンサの模式的断面図である。図１０は、第２の実施形態における積層コンデンサの模式的断面図である。
【００６７】
第１の実施形態では、負極端子電極１３，１４及び正極端子電極１５に加え、第１の主面１０ａ側に負極端子電極１６，１７及び正極端子電極１８が設けられている例について説明した。但し、本発明は、この構成に限定されない。
【００６８】
例えば、図８〜図１０に示すように、端子電極として、負極端子電極１３，１４及び正極端子電極１５の３つの端子電極のみが設けられていてもよい。
【００６９】
（実験例１〜４）
上記実施形態に係る積層コンデンサ１と実質的に同様の構成を有する積層コンデンサを以下の条件で３６個ずつ作製した。作製したサンプルを、温度８５℃、湿度８５％ＲＨの環境下で、４Ｖの電圧を５００時間印加した。その後、絶縁抵抗（ＩＲ）を測定した。その結果、ｌｏｇＩＲが１０５．７を下回ったものを不良品として判断し、１０５．７以上であったものを良品として判断した。結果を表１に示す。
【００７０】
積層コンデンサのサイズ：２．０ｍｍ（Ｌ）×１．２５ｍｍ（Ｗ）×０．７ｍｍ（Ｔ）（設計値）
セラミックス：ＢａＴｉＯ３
容量：４７μＦ
定格電圧：４Ｖ
端子電極の構成：１層目；Ｃｕ焼き付け電極、２層目；Ｎｉめっき膜、３層目；Ｓｎめっき膜
【００７１】
【表１】
2015019084.tif 000003
【００７２】
表１に示す結果から、Ｌ３＞Ｌ１、Ｌ３＞Ｌ２、Ｌ６＞Ｌ４かつＬ７＞Ｌ５とすることにより、低ＥＳＬ化と信頼性向上を両立できる。
【符号の説明】
【００７３】
１  積層コンデンサ
２  実装構造体
１０  コンデンサ本体
１０ａ  第１の主面
１０ｂ  第２の主面
１０ｃ  第１の側面
１０ｄ  第２の側面
１０ｅ  第１の端面
１０ｆ  第２の端面
１０ｇ  セラミック部
１１  負極
１１Ａ  負極有効部
１１ａ〜１１ｄ  負極引き出し部
１２  正極
１２Ａ  正極有効部
１２ａ，１２ｂ  正極引き出し部
１３，１４，１６，１７  負極端子電極
１５，１８  正極端子電極
２０  実装基板
２０ａ  実装面
２１  第１のランド
２２  第２のランド
２３  第３のランド
３０  導電材
【図１】
2015019084.tif 000004
【図２】
2015019084.tif 000005
【図３】
2015019084.tif 000006
【図４】
2015019084.tif 000007
【図５】
2015019084.tif 000008
【図６】
2015019084.tif 000009
【図７】
2015019084.tif 000010
【図８】
2015019084.tif 000011
【図９】
2015019084.tif 000012
【図１０】
2015019084.tif 000013